(57)【特許請求の範囲】
【請求項１】
発汗量記録用測定部の近傍に一体に配置されるＧＳＲ用測定電極を有する発汗時間測定用プローブを具備することを特徴とする発汗時間測定装置。
【請求項２】
請求項１記載の発汗時間測定装置において、前記ＧＳＲ用測定電極はリング電極であることを特徴とする発汗時間測定装置。
【請求項３】
請求項１記載の発汗時間測定装置において、前記ＧＳＲ用測定電極はポイント状電極であることを特徴とする発汗時間測定装置。
【請求項４】
請求項１記載の発汗時間測定装置において、前記ＧＳＲ用測定電極は網状電極であることを特徴とする発汗時間測定装置。
【請求項５】
請求項４記載の発汗時間測定装置において、前記網状電極は波形を有することを特徴とする発汗時間測定装置。
【請求項６】
請求項１記載の発汗時間測定装置において、前記ＧＳＲ用測定電極は交差する線状電極であることを特徴とする発汗時間測定装置。
【請求項７】
請求項４、５又は６記載の発汗時間測定装置において、前記ＧＳＲ用測定電極は表面に突起部を具備することを特徴とする発汗時間測定装置。
【請求項８】
請求項７記載の発汗時間測定装置において、前記突起部は電極の表面をざらざらに粗面化することを特徴とする発汗時間測定装置。
【請求項９】
請求項１記載の発汗時間測定装置において、前記発汗量記録用測定部に５個程度の汗腺を対応させることを特徴とする発汗時間測定装置。
【請求項１０】
請求項１記載の発汗時間測定装置において、前記発汗時間測定用プローブは２ｍｍ2 乃至１ｃｍ2 の寸法を有することを特徴とする発汗時間測定装置。
【請求項１１】
請求項１記載の発汗時間測定装置において、前記発汗量記録用測定部に通じる乾燥空気通路と、該乾燥空気通路の湿度及び温度を計測する湿度センサー及び温度センサーを具備することを特徴とする発汗時間測定装置。
【請求項１２】
請求項１記載の発汗時間測定装置において、発汗量記録用測定部に通じる乾燥空気通路と、該乾燥空気通路の湿度及び温度を計測する湿度センサー、温度センサー及びデータ処理用の半導体素子を前記発汗時間測定用プローブ内に内蔵することを特徴とする発汗時間測定装置。
【発明の詳細な説明】
【０００１】
【発明の属する技術分野】
本発明は、発汗時間測定装置に関するものである。
【０００２】
【従来の技術】
従来、このような分野の技術としては、本願発明者によって提案された「能動発汗を指標とした神経機能測定装置」（特開平１１−３１８８７４号公報）がある。
【０００３】
その神経機能測定装置は、身体部位の皮膚表面における発汗の検知や、汗腺活動の撮影が可能となり、汗腺の異常診断、神経伝達の異常診断、自律神経の異常診断、多汗症、無汗症の判定などの医学分野や美容機器分野、スポーツ分野などへ適用を広げることが出来る。
【０００４】
図９は従来の発汗時間測定装置の全体構成図である。
【０００５】
この図において、１は発汗量測定用プローブ、２は発汗量記録装置、３はボール落下スイッチ、４はボールキャッチ装置、５は発光ダイオード、６は受光部分、７はＧＳＲ（ガルバニック  スキン  レスポンス：Ｇａｌｖａｎｉｃ  Ｓｋｉｎ  Ｒｅｓｐｏｎｃｅ  電流皮膚反応）本体、８はＧＳＲの測定用電極、９はボディーアース、１０は参照用電極、１１はデータ取込み用パーソナルコンピュータ（パソコン）である。
【０００６】
図９に示すように、左手親指に発汗量測定用プローブ１、左手人指し指にＧＳＲの測定用電極８、左手首にボディアース９、左手の甲に参照電極１０を取り付ける。
【０００７】
その状態で右手にボールキャッチによる生理的刺激を与え、発汗を促す。イベントの時刻（ボールを手で掴んだ時間）、発汗量記録装置２のデータ、ＧＳＲ本体７のデータを同時にパソコン１１に取り込み、この取り込んだデータに関し、発汗量記録装置２では、発汗量を微分し発汗の開始までの遅延時間を特定し、ＧＳＲでの発汗の開始までの遅延時間と比較する。被験者には５分間程度に１０回程度、このボールを受け取る操作を繰り返してもらった。なお、データを処理する段階で発汗の開始までの遅延時間が不明瞭なデータは削除し、データの信頼性を上げるようにしている。
【０００８】
【発明が解決しようとする課題】
しかしながら、上記した従来の装置では手掌部での発汗を検知する時間、特に汗腺の作動時間の測定が容易ではなく、ＧＳＲでの測定時間Ａと発汗記録装置での測定時間Ｂの測定を別々に行い、別に（Ｂ−Ａ）＝汗腺作動時間を計算する必要があった。そのためＡとＢとの測定時間や測定部位にずれが生じ、データの信頼性が下がる恐れもあると共に、測定時間が長くなる等、被験者に煩わしさを感じさせた。
【０００９】
本発明は、上記状況に鑑みて、ＧＳＲの測定用電極部と発汗記録装置のプローブを一体化し、同時にＧＳＲの測定時間と発汗記録装置での測定時間の時間を測定、記録することにより、きわめて容易に非侵襲に汗腺の作動時間を測定することができるとともに、被験者の拘束時間を短縮し、測定効率の向上を図ることができる発汗時間測定装置を提供することを目的とする。
【００１０】
【課題を解決するための手段】
本発明は、上記目的を達成するために、
〔１〕発汗時間測定装置において、発汗量記録用測定部の近傍に一体に配置されるＧＳＲ用測定電極を有する発汗時間測定用プローブを具備することを特徴とする。
【００１１】
〔２〕上記〔１〕記載の発汗時間測定装置において、前記ＧＳＲ用測定電極はリング電極であることを特徴とする。
【００１２】
〔３〕上記〔１〕記載の発汗時間測定装置において、前記ＧＳＲ用測定電極はポイント状電極であることを特徴とする。
【００１３】
〔４〕上記〔１〕記載の発汗時間測定装置において、前記ＧＳＲ用測定電極は網状電極であることを特徴とする。
【００１４】
〔５〕上記〔４〕記載の発汗時間測定装置において、前記網状電極は波形を有することを特徴とする。
【００１５】
〔６〕上記〔１〕記載の発汗時間測定装置において、前記ＧＳＲ用測定電極は交差する線状電極であることを特徴とする。
【００１６】
〔７〕上記〔４〕、〔５〕又は〔６〕記載の発汗時間測定装置において、前記ＧＳＲ用測定電極は表面に突起部を具備することを特徴とする。
【００１７】
〔８〕上記〔７〕記載の発汗時間測定装置において、前記突起部は電極の表面をざらざらに粗面化することを特徴とする。
【００１８】
〔９〕上記〔１〕記載の発汗時間測定装置において、前記発汗量記録用測定部に５個程度の汗腺を対応させることを特徴とする。
【００１９】
〔１０〕上記〔１〕記載の発汗時間測定装置において、前記発汗時間測定用プローブは２ｍｍ2 乃至１ｃｍ2 の寸法を有することを特徴とする。
【００２０】
〔１１〕上記〔１〕記載の発汗時間測定装置において、前記発汗量記録用測定部に通じる乾燥空気通路と、この乾燥空気通路の湿度及び温度を計測する湿度センサー及び温度センサーを具備することを特徴とする。
【００２１】
〔１２〕上記〔１〕記載の発汗時間測定装置において、発汗量記録用測定部に通じる乾燥空気通路と、この乾燥空気通路の湿度及び温度を計測する湿度センサー、温度センサー及びデータ処理用の半導体素子を前記発汗時間測定用プローブ内に内蔵することを特徴とする。
【００２２】
【発明の実施の形態】
以下、本発明の実施例を図面を参照しながら詳細に説明する。
【００２３】
以下、本発明の実施例を示す発汗時間測定装置とそれを用いた測定手順について説明する。
【００２４】
図１は本発明の第１実施例を示す発汗時間測定用プローブの構成図であり、図１（ａ）はその発汗時間測定用プローブの斜視図、図１（ｂ）はその発汗時間測定用プローブの上面図、図１（ｃ）はその発汗時間測定用プローブの断面図である。
【００２５】
これらの図において、２０は発汗時間測定用プローブ、２１は白金、金、銀、アルミニウム等からなるＧＳＲ用板状リング電極、２２は発汗量記録用測定部、２３は温度センサー、２４は湿度センサー、２５はＧＳＲ本体へ接続するためのリード線、２６は発汗量記録装置へ接続するためのリード線、２７は乾燥空気導入口、２８は乾燥空気流路、２９は乾燥空気導出口、３０は測定部位である。
【００２６】
この実施例では、図１に示すように、発汗量記録ための測定部分とＧＳＲの測定部分を単一のプローブで一体化させるように構成している。つまり、発汗量記録用測定部２２の周囲に円状にＧＳＲ用板状リング電極２１を取り付けた。
【００２７】
この実施例の単一の発汗時間測定用プローブ２０を測定部位３０にセットするのみで、簡便に発汗量記録とＧＳＲの両者の測定を同時に行うことができる。
【００２８】
すなわち、測定部位３０での発汗により、乾燥空気流路２８の空気はその発汗により湿度が高くなり、湿度センサー２４によりその湿度が検出され、発汗量が記録される。同時に、その温度も温度センサー２３により検出される。
【００２９】
一方、測定部位３０では、ＧＳＲ用板状リング電極２１からの電気的反応により、ＧＳＲ用信号を得ることができる。
【００３０】
このように、第１実施例によれば、手掌部でＧＳＲと発汗量記録装置の測定を単一のプローブのセットで同時に行うことができる。
【００３１】
すなわち、同一の生理的負荷（ボールキャッチ刺激）に対する、ＧＳＲで得られた応答と発汗量記録装置で得られた応答を同時に記録し、それらを分析し二つを比較する。発汗記録装置が発汗を検知するまでの時間（刺激開始時間からの遅延時間）とＧＳＲが発汗を検知するまでの時間（刺激開始時間からの遅延時間）とでは時間的な差があり、この差の値は汗腺の作動時間とみなすことができる。
【００３２】
この実施例のプローブを用いることにより、いずれの結果でもＧＳＲで得られた結果の方が、発汗記録装置で得られた開始遅延時間より早い。秒差は個人差があるが、この二つの測定法の秒差が汗腺の作動までの時間だと考えられる。このプローブを用いることにより、極めて容易に、また非侵襲に汗腺の作動時間を測定することができる。更に、被験者を拘束する時間も約５分と短く、この点でも有効性は高い。
【００３３】
１１名の健常者の被験者についてこの実験を行った結果、ＧＳＲの方が発汗記録装置よりも平均０．９７秒早く信号を捕らえることができるという結果が得られた。この値が汗腺の作動までの時間であると推測される。
【００３４】
表１、表２及び表３に被験者の三人分の具体的な測定結果を示す。
【００３５】
【表１】
0003866021.tif 000002
【００３６】
【表２】
0003866021.tif 000003
【００３７】
【表３】
0003866021.tif 000004
【００３８】
図２は本発明の第２実施例を示す発汗時間測定用プローブの構成図であり、図２（ａ）はその発汗時間測定用プローブの斜視図、図２（ｂ）はその発汗時間測定用プローブの上面図、図２（ｃ）はその発汗時間測定用プローブの断面図である。なお、図１と同じ部分については同じ符号を付してここではそれらの説明は省略する。
【００３９】
この実施例においては、第１実施例に示したＧＳＲ用板状リング電極２１に代えて、ＧＳＲ用ポイント状電極（楕円形状電極）３１を用いるようにしている。
【００４０】
この実施例によれば、ＧＳＲ用測定電極の構造が簡単であり、コストの低減化を図ることができる。
【００４１】
図３は本発明の第３実施例を示す発汗時間測定用プローブの構成図であり、図３（ａ）はその発汗時間測定用プローブの斜視図、図３（ｂ）はその発汗時間測定用プローブの上面図、図３（ｃ）はその発汗時間測定用プローブの断面図である。なお、図１と同じ部分については同じ符号を付してここではそれらの説明は省略する。
【００４２】
この実施例においては、第１実施例に示したＧＳＲ用板状リング電極２１に代えて、ＧＳＲ用円柱状リング電極３２を用いるようにしている。
【００４３】
この実施例によれば、測定部位３０へのＧＳＲ用測定電極の接触を十分に設定することができる。
【００４４】
図４は本発明の第４実施例を示す発汗時間測定用プローブの要部構成図（その１）である。
【００４５】
この図において、４０は発汗時間測定用プローブ、４１は発汗量記録用測定部、４２はＧＳＲ用網状電極である。
【００４６】
このＧＳＲ用網状電極４２の場合は、その電極が作動する汗腺の直近に設定する。なお、結果は上記した第１実施例と同様のデータが得られた。
【００４７】
プローブの大きさは、通常１ｃｍ2 の開口部を持ち、測定する汗腺を有する皮膚面上へ直接接触させるが、指の大きさにより０．５ｃｍ2 など小さなプローブも備えるようにしてもよい。
【００４８】
また、電極の構成は、このＧＳＲ用網状電極の他に、例えば、参照側電極とこれに対応する対極を、汗腺のない部分（参照側電極を手の甲の部分に、対極を別の指腹）に設置する。なお、対極と測定電極で構成するようにしてもよい。
【００４９】
図５に示すように、ＧＳＲ用網状電極５１の最も極端な事例として測定部である皮膚５０の１汗腺５２を取り囲むように設置し、その電極の直近の汗腺のないところに参照電極５３を設置するのが理想的である。
【００５０】
例えば、２ｍｍ2 のプローブを用いて実験を行い、汗腺５個程度がこの場合測定部に入ることになる。
【００５１】
また、図６に示すように、波形の金属線で構成されるＧＳＲ用網状電極６１を測定部である皮膚６０の１つの汗腺６２を１つの網で囲うように設置すれば、非常に理想に近くなる。
【００５２】
なお、上記実施例では、網状にしたが、極端な場合は、交差する２本の金属線で電極を構成することもできる。
【００５３】
図７は本発明の第６実施例を示す発汗時間測定用プローブのＧＳＲ用測定電極の拡大図である。
【００５４】
この実施例では、測定部である皮膚７０の汗腺７２の近傍に設置されるＧＳＲ用測定電極としての針金電極７１は皮膚７０の局部に陥没する突起部７１Ａを有する。この突起部７１Ａは針金電極７１の表面をざらざらに粗面化することにより形成することができる。
【００５５】
これにより、汗腺７２への十分なる接近を図るとともに、皮膚に十分に接触して接地性を高めることができる。
【００５６】
図８は本発明の第７実施例を示す発汗時間測定用プローブのＧＳＲ用測定電極を示す図であり、図８（ａ）はそのリング状薄膜電極の取り付け前の状態を示す斜視図、図８（ｂ）はそのリング状薄膜が取り付けられた状態を示す斜視図である。
【００５７】
この図において、８０は発汗時間測定用プローブ、８１は発汗量記録用測定部、８２は両面テープ、８３は両面テープに形成される穴、８４はリング状薄膜（１０μｍ程度）電極である。
【００５８】
この実施例によれば、このように構成したので、電極の形成を容易に行うことができる。
【００５９】
また、本発明によれば、上記した発汗量記録用測定部に通じる乾燥空気通路と、その乾燥空気通路の湿度及び温度を計測する湿度センサー及び温度センサーに加えて、データ処理用の半導体素子をも発汗時間測定用プローブ内に内蔵するようにしてもよい。
【００６０】
このように構成することにより、その装置をよりコンパクトに構成することができる。
【００６１】
なお、本発明は上記実施例に限定されるものではなく、本発明の趣旨に基づいて種々の変形が可能であり、これらを本発明の範囲から除外するものではない。
【００６２】
【発明の効果】
以上、詳細に説明したように、本発明によれば、きわめて容易に非侵襲に汗腺の作動時間を測定することができる。
【００６３】
また、被験者の拘束時間も５分に短縮することができ、測定効率の向上を図ることができる。
【図面の簡単な説明】
【図１】本発明の第１実施例を示す発汗時間測定用プローブの構成図である。
【図２】本発明の第２実施例を示す発汗時間測定用プローブの構成図である。
【図３】本発明の第３実施例を示す発汗時間測定用プローブの構成図である。
【図４】本発明の第４実施例を示す発汗時間測定用プローブの要部構成図（その１）である。
【図５】本発明の第４実施例を示す発汗時間測定用プローブの要部構成図（その２）である。
【図６】本発明の第５実施例を示す発汗時間測定用プローブの要部構成図である。
【図７】本発明の第６実施例を示す発汗時間測定用プローブのＧＳＲ用測定電極を示す図である。
【図８】本発明の第７実施例を示す発汗時間測定用プローブのＧＳＲ用測定電極を示す図である。
【図９】従来の発汗時間測定装置の全体構成図である。
【符号の説明】
２０，４０，８０    発汗時間測定用プローブ
２１    ＧＳＲ用板状リング電極
２２，４１，８１    発汗量記録用測定部
２３    温度センサー
２４    湿度センサー
２５    ＧＳＲ本体へ接続するためのリード線
２６    発汗量記録装置へ接続するためのリード線
２７    乾燥空気導入口
２８    乾燥空気流路
２９    乾燥空気導出口
３０    測定部位
３１    ＧＳＲ用ポイント状電極（楕円形状電極）
３２    ＧＳＲ用円柱状リング電極
４２，５１，６１    ＧＳＲ用網状電極
５０，６０，７０    皮膚
５２，６２，７２    汗腺
５３    参照電極
７１    針金電極
７１Ａ    突起部
８２    両面テープ
８３    両面テープに形成される穴
８４    リング状薄膜電極
【図１】
0003866021.tif 000005
【図２】
0003866021.tif 000006
【図３】
0003866021.tif 000007
【図４】
0003866021.tif 000008
【図５】
0003866021.tif 000009
【図６】
0003866021.tif 000010
【図７】
0003866021.tif 000011
【図８】
0003866021.tif 000012
【図９】
0003866021.tif 000013